(57)【特許請求の範囲】
【請求項１】
レンズ群を備える対物光学系を介して入射した光が透過する第１の光学部材と、
前記第１の光学部材を透過した光が透過し、該透過した光によって被写体を視認するための第２の光学部材と、
前記第１の光学部材が収納される第１の部材と、
前記第１の部材に支持され、前記第２の光学部材が収納される第２の部材と、
前記第１の光学部材と前記第２の光学部材との間に配置される枠部材と、
前記枠部材と前記第２の光学部材との間に配置され、前記第１の光学部材を前記第１の部材に押圧して前記第１の光学部材を前記第１の部材に保持するとともに、前記枠部材および前記第２の光学部材をそれぞれ前記第１の部材および前記第２の部材の側に押圧して前記枠部材および前記第２の光学部材を前記第１の部材および前記第２の部材に保持する弾性部材と、を備える光学機器であって、
前記弾性部材は、前記第１の光学部材を前記対物光学系の光軸と交差する方向に押圧して前記第１の光学部材を前記第１の部材に保持する第１の押圧部と、前記枠部材および前記第２の光学部材を前記対物光学系の光軸の方向に沿って押圧して、前記枠部材および前記第２の光学部材をそれぞれ前記第１の部材および前記第２の部材に保持する第２の押圧部と、を有し、
前記第２の押圧部は、前記光が通過する開口部が形成されており、
前記第１の押圧部は、前記第２の押圧部と一体に形成されており、前記第２の押圧部から前記対物光学系の光軸方向に延び、前記第１の光学部材に当接して前記第１の光学部材を前記交差方向に押圧する当接部を備え、
前記第２の部材は、前記対物光学系の光軸方向に延び、前記第１の部材と係合して前記第２の押圧部を前記対物光学系の光軸方向に押圧する係止部、及び、前記対物光学系の光軸方向に延び、前記第１の押圧部に当接して前記第１の光学部材を前記交差方向に押圧する保持部が一体に形成されていることを特徴とする光学機器。
【請求項２】
前記第１の押圧部は前記当接部よりも前記対物光学系の軸方向に延び、前記第１の光学部材と前記第１の部材との間に規定される空間を覆う延在部を有することを特徴とする請求項１に記載の光学機器。
【請求項３】
前記第１の部材には、前記対物光学系の光軸に沿う部分に前記対物光学系を収納するための第１の室が形成されるとともに、前記第１の光学部材を収納するための第２の室が形成され、
前記第２の部材には前記第２の光学部材を収納する第３の室が形成されており、前記第２の部材が前記第１の部材に係合された際、第２の押圧部が前記対物光学系の光軸の方向に沿って付勢されること特徴とする請求項１又は２に記載の光学機器。
【請求項４】
前記第２の光学部材は樹脂成形によって形成されており、
前記第２の部材には、前記第２の光学部材の凸部を回避するための切り欠き部が形成され、
前記第２の押圧部には前記当接部と反対側に前記対物光学系の光軸方向に延び、前記切り欠き部を遮蔽する遮蔽部が形成されていることを特徴とする請求項１〜３のいずれか１項に記載の光学機器。
【請求項５】
前記第２の部材に形成された保持部は前記第２の部材が前記第１の部材に係合された際に、前記第１の押圧部を前記交差方向に押圧することを特徴とする請求項１に記載の光学機器。
【請求項６】
前記弾性部材はゴム材で形成されていることを特徴とする請求項１〜５のいずれか１項に記載の光学機器。
【発明の詳細な説明】
【技術分野】
【０００１】
本発明は、光学機器に関する。
【背景技術】
【０００２】
一般に、コンパクトカメラ又はカメラ一体型ＶＴＲなどの撮像装置で用いられるファインダ装置などの光学機器においては、ファインダ装置筐体（以下単に筐体と呼ぶ）内に対物レンズ、光を屈折する複数のプリズム、および接眼レンズが収納されている。このようなファインダ装置においては、筐体内に入射した被写体像が対物レンズを介して複数のプリズムに入射し、複数のプリズムから出射した光が接眼レンズに入射する。そして、接眼レンズから接眼レンズの近傍に設けられた接眼部に被写体像が導かれる。
【０００３】
上記のファインダ装置では、ファインダ地板が備えられており、このファインダ地板には対物レンズおよび三角プリズムが保持される対物レンズ室および三角プリズム室が形成されている。そして、三角プリズムを三角プリズム室に保持する際には、対物レンズ室および三角プリズム室を覆うファインダカバーに形成された板バネの付勢力によって三角プリズムを三角プリズム室に保持している（例えば、特許文献１参照）。
【先行技術文献】
【特許文献】
【０００４】
【特許文献１】特開２００６−９９０１９号公報
【発明の概要】
【発明が解決しようとする課題】
【０００５】
ところが、特許文献１に記載されたように三角プリズムを保持すると、板バネを用いる関係上、不可避的に三角プリズムなどのプリズムを保持するための部品点数が増加する。そして、部品点数の増加に起因して組立て工数が増加し、ファインダ装置の製造コストがアップしてしまう。
【０００６】
また、特許文献１においては、板バネを加工する際にファインダカバーに孔を穿つ必要があり、加工の後、当該孔を塞ぐための専用部品が必要となる。これによっても、ファインダ装置の製造コストがアップしてしまう。
【０００７】
さらに、特許文献１では、ファインダカバーが板バネの付勢力によって三角プリズムと対向する方向に付勢され、ファインダカバーと三角プリズム室との間に空間が形成されてしまう。このため、当該空間にファインダ装置の光路内に外部からゴミおよび微小な埃などの異物が侵入してしまう。この結果、ユーザが接眼部を覗くと被写体像の他に異物が目視されてしまい、良好に被写体像を目視することができないことがある。
【０００８】
従って、本発明の目的は、コストを低減することのできる光学機器を提供することにある。
【課題を解決するための手段】
【００１０】
上記の目的を達成するため、本発明の光学機器は、レンズ群を備える対物光学系を介して入射した光が透過する第１の光学部材と、前記第１の光学部材を透過した光が透過し、該透過した光によって被写体を視認するための第２の光学部材と、前記第１の光学部材が収納される第１の部材と、前記第１の部材に支持され、前記第２の光学部材が収納される第２の部材と、前記第１の光学部材と前記第２の光学部材との間に配置される枠部材と、前記枠部材と前記第２の光学部材との間に配置され、前記第１の光学部材を前記第１の部材に押圧して前記第１の光学部材を前記第１の部材に保持するとともに、前記枠部材および前記第２の光学部材をそれぞれ前記第１の部材および前記第２の部材の側に押圧して前記枠部材および前記第２の光学部材を前記第１の部材および前記第２の部材に保持する弾性部材と、を備える光学機器であって、前記弾性部材は、前記第１の光学部材を前記対物光学系の光軸と交差する方向に押圧して前記第１の光学部材を前記第１の部材に保持する第１の押圧部と、前記枠部材および前記第２の光学部材を前記対物光学系の光軸の方向に沿って押圧して、前記枠部材および前記第２の光学部材をそれぞれ前記第１の部材および前記第２の部材に保持する第２の押圧部と、を有し、前記第２の押圧部は、前記光が通過する開口部が形成されており、前記第１の押圧部は、前記第２の押圧部と一体に形成されており、前記第２の押圧部から前記対物光学系の光軸方向に延び、前記第１の光学部材に当接して前記第１の光学部材を前記交差方向に押圧する当接部を備え、前記第２の部材は、前記対物光学系の光軸方向に延び、前記第１の部材と係合して前記第２の押圧部を前記対物光学系の光軸方向に押圧する係止部、及び、前記対物光学系の光軸方向に延び、前記第１の押圧部に当接して前記第１の光学部材を前記交差方向に押圧する保持部が一体に形成されていることを特徴とする。
【発明の効果】
【００１２】
本発明によれば、光学部材を保持するための部品点数を低減させて、製造コストを低減させるとともに、光学機器の光路内に外部から異物が侵入することを確実に防止することができる。
【図面の簡単な説明】
【００１３】
【図１】本発明の実施の形態による光学機器の一例であるファインダ装置を示す斜視図である。
【図２】図１に示す対物光学系ユニットを分解して示す斜視図である。
【図３】図１に示す接眼光学系ユニットを分解して示す斜視図である。
【図４】図３に示す弾性部材を下側からみた斜視図である。
【図５】図３に示す接眼光学系ユニットを組み立てる前の状態でファインダユニットを上方からみた図である。
【図６】図３に示す接眼光学系ユニットを組み立てた後の状態でファインダユニットを上方からみた図である。
【図７】図６のＡ−Ａ線断面図である。
【図８】図６のＢ−Ｂ線断面図である。
【図９】図６に示すファインダユニットを備えるファインダ装置を分解して示す斜視図である。
【図１０】図９に示すファインダ装置においてファインダ装置視野の倍率を変倍するカム板を上方から示す図ある。
【発明を実施するための形態】
【００１４】
以下、本発明の実施の形態による光学機器の一例について図面を参照して説明する。
【００１５】
図１は、本発明の実施の形態による光学機器の一例であるファインダ装置を示す斜視図である。
【００１６】
図１において、ファインダ装置５００はファインダユニット３００および鏡筒ユニット４００を有している。そして、ファインダユニット３００は対物光学系ユニット１００および接眼光学系ユニット２００を備えている。ファインダ装置５００は、例えば、コンパクトカメラ又は簡易型のカメラ一体型ＶＴＲなど撮像装置のファインダとして用いられる。そして、この撮像装置は後述する対物光学系を介して入射した光を受けて、被写体像の撮影を行う撮影手段とを有することになる。
【００１７】
図２は、図１に示す対物光学系ユニット１００を分解して示す斜視図である。
【００１８】
図２において、対物光学系ユニット１００は第１のファインダ地板（第１の部材）１、対物光学系としての第１の対物レンズ２と第２〜第４の対物レンズ（後述する）、マスク６、レンズ間スプリング７および８、そして、ガイドバー９および１０を備えている。
【００１９】
第１の対物レンズ２には被写体像などの観察光が入射する。対物光学系は第２〜第４の対物レンズユニット３〜５に備えられる第２〜第４の対物レンズ（レンズ群）を備えており、これら第２〜第４の対物レンズユニット３〜５はレンズ群とともに光軸方向に移動可能となっている。また、ガイドバー９および１０は対物光学系の光軸と平行に取り付けられている。
【００２０】
第１のファインダ地板１には、対物光学系の光軸に沿う部分において、第２〜第４の対物レンズユニット３〜５を収納するための対物レンズ室（第１の室）１ａが形成されている。対物レンズ室１ａの前方（第２の対物レンズユニット３側、被写体側）には、前壁１ｂが設けられており、この前壁１ｂの中央部には、第１の対物レンズ２から射出した観察光が通過する開口部１ｃが形成されている。また、前壁１ｂの下側部分にはガイドバー９および１０がそれぞれ嵌挿される孔１ｄおよび１ｅが形成されている。そして、対物レンズ室１ａの上面には、第２〜第４の対物レンズユニット３〜５の回転を規制するための３本の直進溝１ｆ〜１ｈが形成されている。
【００２１】
第１のファインダ地板１において対物レンズ室１ａの後方（第４の対物レンズユニット５側、観察者側）には、後述する三角プリズム（第１の光学部材）１１を収納するための三角プリズム室（第２の室）１ｋが形成されている。三角プリズム室１ｋの前方（第４の対物レンズユニット５側、被写体側）には前壁１ｍが設けられており、前壁１ｍの中央部には第４の対物レンズユニット５から射出した観察光が通過する開口部１ｎが形成されている。また、三角プリズム室１ｋには三角プリズム１１から射出した観察光が通過するための開口部１ｏが形成されている。そして、図中開口部１ｏの左右両端部には、第２のファインダ地板（第２の部材）１４を係止する４つの係止爪１ｔ〜１ｗが形成されている。
【００２２】
第１の対物レンズ２は、第１のファインダ地板１の開口部１ｄを覆うようにして前壁１ｃに装着される。前壁１ｃに装着された第１の対物レンズ２は接着によって第１のファインダ地板１に固定される。
【００２３】
第２の対物レンズユニット３は、第１のファインダ地板１の対物レンズ室１ａに配置され、第２の対物レンズユニット３の右斜め下側部分に形成された軸受孔３ａにガイドバー９が嵌挿される。これによって、第２の対物レンズユニット３は、ガイドバー９上を摺動可能に、つまり、対物光学系の光軸方向に移動可能な状態で第１のファインダ地板１に支持される。また、第２の対物レンズユニット３の左斜め上側部分に形成された軸３ｂが第１のファインダ地板１の直進溝１ｆに嵌挿されて第２の対物レンズユニット３の回転が規制される。
【００２４】
第２の対物レンズユニット３において軸受孔３ａが形成された部分の下面には、下方に向けて突出したカムフォロア３ｃが設けられている。このカムフォロア３ｃは、後述するカム板２０のカム溝２０ａ上を摺動可能な状態でカム板２０に嵌合する。
【００２５】
第３の対物レンズユニット４は、第１のファインダ地板１の対物レンズ室１ａに配置され、第３の対物レンズユニット４の下側部分に形成された軸受孔４ａにガイドバー１０が嵌挿される。これによって、第３の対物レンズユニット４はガイドバー１０上を摺動可能に、つまり、対物光学系の光軸方向に移動可能な状態で第１のファインダ地板１に支持される。また、第３の対物レンズユニット４の上端に形成された軸４ｂが第１のファインダ地板１の直進溝１ｇに嵌挿されて、第３の対物レンズユニット４の回転が規制される。
【００２６】
第３の対物レンズユニット４において軸受孔４ａが形成された部分の下面には、下方に向けて突出したカムフォロア４ｃが設けられている。このカムフォロア４ｃは、後述するカム板２０のカム溝２０ｂ上を摺動可能な状態でカム板２０に嵌合する。
【００２７】
第４の対物レンズユニット５は、第１のファインダ地板１の対物レンズ室１ａに配置され、第４の対物レンズユニット５の下側部分に形成された軸受孔５ａにガイドバー１０が嵌挿される。これによって、第４の対物レンズユニット５はガイドバー１０上を摺動可能に、つまり、対物光学系の光軸方向に移動可能な状態で第１のファインダ地板１に支持される。また、第４の対物レンズユニット５の上端に形成された軸５ｂが第１のファインダ地板１の直進溝１ｈに嵌挿されて第４の対物レンズユニット５の回転が規制される。
【００２８】
第４の対物レンズユニット５において軸受孔５ａが形成された部分の下面には、下方に向けて突出したカムフォロア５ｃが設けられている。このカムフォロア５ｃは、後述するカム板２０のカム溝２０ｃ上を摺動可能な状態でカム板２０に嵌合する。
【００２９】
マスク６は、第１の対物レンズ２と第２の対物レンズユニット３との間に配置されて第２の対物レンズユニット３に装着される。第２の対物レンズユニット３に装着されたマスク６は、第２の対物レンズユニット３とともに対物光学系の光軸方向に移動する。マスク６の中央部には、第１の対物レンズ２から射出された観察光が通過する開口部６ａが形成されている。
【００３０】
レンズ間スプリング７は、第２の対物レンズユニット３と第１のファインダ地板１との間に配置される。レンズ間スプリング７の一端は第２の対物レンズユニット３の軸受孔３ａを規定する中空のテーパ部材の外周に嵌合し、その他端が第１のファインダ地板１に当接している。
【００３１】
レンズ間スプリング８は、第３の対物レンズユニット４と第４の対物レンズユニット５との間に配置される。レンズ間スプリング８の一端は第３の対物レンズユニット４の軸受孔４ｂを規定する中空のテーパ部材の外周に嵌合し、その他端が第４の対物レンズユニット５の軸受孔５ｂを規定する中空のテーパ部材の外周に嵌合する。
【００３２】
これらレンズ間スプリング７および８のスプリング力（付勢力）によって、第２の対物レンズユニット３のカムフォロア３ｃがカム板２０のカム溝２０ａのカム側面に確実に当接する。同様に、第３の対物レンズユニット４のカムフォロア４ｃがカム板２０のカム溝２０ｂのカム側面に確実に当接し、第４の対物レンズユニット５のカムフォロア５ｃがカム板２０のカム溝２０ｃのカム側面に確実に当接する。その結果、第２〜第４の対物レンズユニット３〜５におけるレンズ間隔を一定の長さとすることができる。
【００３３】
ガイドバー９および１０は、第１のファインダ地板１の対物レンズ室１ａにおいて対物光学系の光軸と平行に配置される。具体的には、ガイドバー９は、その一端が前壁１ｃの孔１ｄに嵌挿され、他端がプリズム室１ｋの下部に形成された壁１ｑの孔１ｒに嵌挿される。
【００３４】
ガイドバー１０は、その一端が前壁１ｃの孔１ｅに嵌挿され、他端がプリズム室１ｋの下部に形成された壁１ｑの孔１ｓに嵌挿される。これによって、ガイドバー９および１０が第１のファインダ地板１に支持されて、第２〜第４の対物レンズユニット３〜５がガイドバー９および１０を介して第１のファインダ地板１に支持される。
【００３５】
図３は図１に示す接眼光学系ユニット２００を分解して示す斜視図であり、図４は図３に示す弾性部材としての固定ゴム１３を下側からみた斜視図である。
【００３６】
図３および図４を参照して、接眼光学系ユニット２００は、三角プリズム１１、視野枠（枠部材）１２、弾性部材としての固定ゴム１３、第２のファインダ地板１４、およびダハプリズム１５、および接眼レンズ１６を有している。
【００３７】
三角プリズム１１は、第１のファインダ地板１の三角プリズム室１ｋに配置され、後述する固定ゴム１３の第１の押圧部１３ａによって、第１のファインダ地板１に接着されることなく三角プリズム室１ｋに保持される。さらに、後述するように、固定ゴム１３の第１の押圧部１３ａによって、三角プリズム１１と第１のファインダ地板１との間の空間（第１の空間という）が密閉される。
【００３８】
第４の対物レンズユニット５から射出されて三角プリズム１１の入射面１１ａに導かれた観察光は、三角プリズム１１を透過して三角プリズム１１の射出面１１ｂから射出する。三角プリズム１１から射出した観察光は、後述するダハプリズム１５の入射面１５ａに導かれる。
【００３９】
視野枠１２には、ファインダユニット３００の視野範囲を規定する形状が長方形である視野表示開口部１２ａが形成されている。この視野枠１２は第１のファインダ地板１とダハプリズム１５との間に配置される。視野枠１２は固定ゴム１３の第２の押圧部１３ｃによって、第１のファインダ地板１に接着されることなく第１のファインダ地板１に保持される。さらに、固定ゴム１３の第２の押圧部１３ｃによって、視野枠１２とダハプリズム１５との間の空間（第２の空間と呼ぶ）が密閉される。
【００４０】
弾性部材としての固定ゴム１３は、例えば、ゴム材で構成されるが、同様の効果が得られればゴム材に限られない。固定ゴム１３は第１および第２の押圧部１３ａおよび１３ｃを有している。第１の押圧部１３ａは対物光学系の光軸と直交（交差）する方向（交差方向、Ａ１方向）に弾性力Ｆ１チャージされる。また、第２の押圧部１３ｃは対物光学系の光軸と平行する方向（Ａ２）に弾性力Ｆ２がチャージされる。
【００４１】
第１および第２の押圧部１３ａおよび１３ｃは固定ゴム１３に一体で形成されている。そして、第１の押圧部１３ａは三角プリズム１１の上面に配置される。第１の押圧部１３ａは当接部１３ｆおよび防塵部（延在部）１３ｂを有し、当接部１３ｆは三角プリズム１１を保持するために用いられる。また、防塵部１３ｂは当接部１３ｆと上側に形成され、当接部１３ｆよりも外側に突出し、前述の第１の空間を密閉する（つまり、覆う）。第１の押圧部１３ａは、後述するように、第２のファインダ地板１４の保持部１４ｄによって押圧される。
【００４２】
第２の押圧部１３ｃ（つまり、固定ゴム１３）は、視野枠１２とダハプリズム１５との間に配置される。第２の押圧部１３ｃは視野枠１２およびダハプリズム１５を保持するとともに前述の第２の空間を密閉する。
【００４３】
第２の押圧部１３ｃにおいて、その中央部には視野枠１２の視野表示開口部１２ａよりも開口面積が広い開口部１３ｄが形成されている。第２の押圧部１３ｃは１のファインダ地板１と第２のファインダ地板１４とを係合させることによって図４に示すＡ２方向に付勢される。
【００４４】
図示のように、第１の押圧部１３ａと対向して第１の押圧部１３ａと反対側に延びる遮蔽部１３ｅが形成され、この遮蔽部１３ｅによって第２のファインダ地板１４の切り欠き部１４ｅが覆われる。なお、遮蔽部１３ｅは第２のファインダ地板１４の上側に配置される。
【００４５】
第２のファインダ地板１４にはダハプリズム（第２の光学部材）１５を収納するためのダハプリズム室（第３の室）１４ａが形成されている。ダハプリズム室１４ａの後方（接眼レンズ１６側）には後壁１４ｂが設けられている。後壁１４ｂの中央部には、ダハプリズム１５の射出面１５ｂから射出した観察光が通過する開口部１４ｃが形成されている。
【００４６】
ダハプリズム室１４ａの上側部分には保持部１４ｄおよびコの字状の切り欠き部１４ｅが形成されている。保持部１４ｄは観察光の光軸の方向（三角プリズム１１側）に延び固定ゴム１３の第１の押圧部１３ａを押圧する。切り欠き部１４ｅはダハプリズム１５の凸部であるゲート跡１５ｃを回避するために用いられる。なお、ダハプリズム１５は、例えば、樹脂成形（モールド成形）によって作成される。
【００４７】
ダハプリズム室１４ａの上側部分および下側部分の両端部には、それぞれ第１のファインダ地板１を係止する４つの係止爪１４ｆ、１４ｇ、１４ｈ、および１４ｋが形成されている。
【００４８】
ダハプリズム１５は、第２のファインダ地板１４のダハプリズム室１４ａに配置され、固定ゴム１３の第２の押圧部１３ｃによって第２のファインダ地板１に接着ることになく保持される。さらに、第２の押圧部１３ｃによって視野枠１２とダハプリズム１５の間との空間（第２の空間）が密閉される。
【００４９】
ダハプリズム１５は三角プリズム１１の射出面１１ｂから射出した観察光が入射する入射面１５ａと、観察光を出射する射出面１５ｂとを有する屋根状のダハ面を備える屋根型プリズムである。そして、ダハプリズム１５によって観察光における上下が反転され、出射面１５ｂから出射した観察光は接眼レンズ１６に導かれる。
【００５０】
接眼レンズ１６は第２のファインダ地板１４の開口部１４ｃを覆うように配置され、後壁１４ｂに装着される。後壁１４ｂに装着された第２の接眼レンズ（図示せず）は接着によって第２のファインダ地板１４に固定される。
【００５１】
続いて、図１に示すファインダユニット３００の組み立てについて説明する。
【００５２】
図５は図３に示す接眼光学系ユニット２００を組み立てる前の状態でファインダユニット３００を上方からみた図である。また、図６は図３に示す接眼光学系ユニット２００を組み立てた後の状態でファインダユニット３００を上方からみた図である。さらに、図７は図６のＡ−Ａ線断面図であり、図８は図６のＢ−Ｂ線断面図である。
【００５３】
図５〜図８を参照して、ファインダユニット３００を組み立てる際には、対物光学系ユニット１００および接眼光学系ユニット２００を組み立てた後、第２のファインダ地板１４に形成された係止爪１４ｆ、１４ｇ、１４ｈ、および１４ｋを、第１のファインダ地板１に形成された係止爪１ｔ、１ｕ、１ｖ、および１ｗにそれぞれ係合する。この係合によって、図７に示すように、固定ゴム１３の第２の押圧部１３ｃが対物光学系の光軸と平行する方向（図４のＡ２方向）にチャージされる。
【００５４】
固定ゴム３０の第２の押圧部１３ｃの弾性力によって視野枠１２が第１のファインダ地板１に保持されるとともにダハプリズム１５が第２のファインダ地板１４に保持される。そして、固定ゴム３０の第２の保持部１３ｃによって視野枠１２とダハプリズム１５との間の空間（第２の空間）が密閉される。
【００５５】
また、第２のファインダ地板１４の保持部１４ｄの押圧によって、図７および図８に示すように、固定ゴム１３の第１の押圧部１３ａが対物光学系の光軸と直交する方向（図４のＡ１方向）にチャージされる。固定ゴム１３の第１の押圧部１３ａの弾性力によって当接部１３ｆにおいて三角プリズム１１が第１のファインダ地板１に保持され、防塵部１３ｂにおいて三角プリズム１１と第１のファインダ地板１との間の空間（第１の空間）が密閉される。そして、第２のファインダ地板１４の切り欠き部１４ｅが固定ゴム１３の遮蔽部１３ｅによって覆われる。
【００５６】
図６に示すように、組立てられたファインダユニット３００においては、接眼光学系ユニット２００が対物光学系ユニット１００に支持される。これによって、ファインダユニット３００は、例えば、コンパクトカメラ又は簡易型のカメラ一体型ＶＴＲなど撮像装置のファインダとして機能する。そして、ユーザは第１の対物レンズ２から入射した観察光による被写体像を接眼レンズ１６を介して視認することができる。
【００５７】
図９は、図６に示すファインダユニット３００を備えるファインダ装置を分解して示す斜視図である。また、図１０は図９に示すファインダ装置においてファインダ装置視野の倍率を変倍するカム板を上方から示す図ある。
【００５８】
図９において、鏡筒ユニット４００を構成する固定筒３０の外周に、カム板２０、スプリング２１、およびファインダユニット３００が配置される。図示のように、ファインダユニット３００は、カム板２０の上面側に配置されて鏡筒ユニット４００に固定される。当該固定によってカム板２０は回転可能に固定筒３０に支持される。
【００５９】
カム板２０には、第２の対物レンズユニット３を対物光学系の光軸方向に進退移動させるためのカム溝２０ａが形成されており、第２の対物レンズユニット３のカムフォロア３ｃが摺動可能な状態でカム溝２０ａに嵌合する。また、カム板２０には、第３の対物レンズユニット４を対物光学系の光軸方向に進退移動させるためのカム溝２０ｂが設けられている。そして、第３の対物レンズ３のカムフォロア３ｃが摺動可能な状態でカム溝２０ｂに嵌合する。
【００６０】
さらに、カム板２０には、第４の対物レンズユニット５を対物光学系の光軸方向に進退移動させるためのカム溝２０ｃが設けられており、第４の対物レンズユニット５のカムフォロア５ｃが摺動可能な状態でカム溝２０ｃに嵌合する。そして、カム板２０には、スプリング２１を掛けるためのフック２０ｄが形成されている。カム板２０はスプリング２１によって図中反時計方向に付勢される。
【００６１】
スプリング２１は、その一端がカム板２０のフック２０ｄに掛けられ、他端が固定筒３０のフック（図示せず）に掛けられる。
【００６２】
鏡筒ユニット４００を構成する駆動ユニット３１は、ズーム切換えスイッチ（図示せず）に接続されている。ユーザがズーム切換えスイッチをオンに切換えることによって駆動ユニット３１が駆動され、ファインダ装置５００における変倍動作が実行される。
【００６３】
この変倍動作はファインダ装置５００における視野の倍率を望遠端から広角端の間で変化させる動作である。具体的には、変倍動作においては、鏡筒ユニット４００を構成するカム筒３２が光軸方向における望遠端から広角端の間で移動する。
【００６４】
例えば、カム筒３２を望遠端方向に移動させる場合には、まず、ズーム切換えスイッチを切換えて駆動ユニット３１を駆動させる。この駆動によって、カム筒３２は固定筒３０の内周に設けられたカム（図示せず）の動作に追従して、図中時計方向に回転しつつ光軸方向における望遠端方向に繰り出される。
【００６５】
カム筒３２の回転に追従するようにして、カム板２０がスプリング２１をチャージしつつ固定筒３０の外周面上を時計方向に移動する。カム板２０の移動によって、第２の対物レンズユニット３はカム板２０のカム溝２０ａに沿って広角端Ｐ１側から望遠端Ｐ２側に移動する。同様に、第３の対物レンズユニット４はカム板２０のカム溝２０ｂに沿って広角端Ｐ３側から望遠端Ｐ４側に移動する。さらに、第４の対物レンズユニット５はカム板２０のカム溝２０ｃに沿って広角端Ｐ５側から望遠端Ｐ６側に移動する。
【００６６】
第２〜第４の対物レンズユニット３〜５が望遠端側へ移動すると、第２〜第４の対物レンズユニット３〜５におけるレンズ間隔が短くなって、ファインダ装置４００おいてその視野の倍率を望遠端側に変倍することができる。
【００６７】
カム筒３２を広角端方向に移動させる場合には、まず、ズーム切換えスイッチを切換えて駆動ユニット３１を駆動させる。この駆動によって、カム筒３２は、固定筒３０の内周に設けられているカムの動作に追従して反時計方向に回転しつつ光軸方向における広角端方向に繰り込まれる。カム筒３２の回転に追従して、カム板２０はチャージされたスプリング２３および２４のスプリング力を用いて固定筒２７の外周面上を時計方向に移動する。
【００６８】
カム板２０の移動によって、第２の対物レンズユニット３はカム板２０のカム溝２０ａに沿って望遠端Ｐ２側から広角端Ｐ１側に移動する。動揺に、第３の対物レンズユニット４はカム板２０のカム溝２０ｂに沿って望遠端Ｐ４側から広角端Ｐ３側に移動する。また、第４の対物レンズユニット５はカム板２０のカム溝２０ｃに沿って望遠端Ｐ６側から広角端Ｐ５側に移動する。
【００６９】
第２〜第４の対物レンズユニット３〜５が広角端側に移動すると、第２〜第４の対物レンズユニット３〜５におけるレンズ間隔が長くなって、ファインダ装置４００において視野の倍率を広角端側に変倍することができる。
【００７０】
このように、１つの固定ゴム１３によって三角プリズム１１およびダハプリズム１５をそれぞれ第１および第２のファインダ地板１および１４に保持するようにしたので、プリズムを保持する際の部品点数を低減させることができる。さらに、弾性部材としての固定ゴム１３の交換はきわめて容易であり、結果的にファインダ装置４００の製造コストを低減させることができる。
【００７１】
さらに、上述の実施の形態では、弾性部材としての固定ゴム１３に備えられた第１の押圧部１３ａの防塵部１３ｂによって第１のファインダ地板１と三角プリズム１１との間に形成された空間が密閉される。また、固定ゴム１３の第１の押圧部１３ｃによって視野枠１２とダハプリズム１５との間に形成された空間を密閉される。よって、第１のファインダ地板１と三角プリズム１１との間および視野枠１２とダハプリズム１５との間からファインダ装置４００の光路内にゴミおよび微少な埃などの異物が侵入することを防止することができる。その結果、ユーザは常に良好な被写体像を視認することができる。
【００７２】
以上、本発明について実施の形態に基づいて説明したが、本発明は、これらの実施の形態に限定されるものではなく、この発明の要旨を逸脱しない範囲の様々な形態も本発明に含まれる。
【符号の説明】
【００７３】
１  第１のファインダ地板（第１の部材）
１ｔ，１ｕ，１ｖ，１ｗ，１４ｆ，１４ｇ，１４ｈ，１４ｋ  係止爪（係合手段）
１１  三角プリズム（第１の光学部材）
１２  視野枠（枠部材）
１３  固定ゴム（弾性部材）
１３ａ  第１の押圧部
１３ｃ  第２の押圧部
１４  第２のファインダ地板（第２の部材）
１４ｅ  切り欠き部（開口部）
１５  ダハプリズム（第２の光学部材）
【図１】
0005950590.tif 000002
【図２】
0005950590.tif 000003
【図３】
0005950590.tif 000004
【図４】
0005950590.tif 000005
【図５】
0005950590.tif 000006
【図６】
0005950590.tif 000007
【図７】
0005950590.tif 000008
【図８】
0005950590.tif 000009
【図９】
0005950590.tif 000010
【図１０】
0005950590.tif 000011